(57)【特許請求の範囲】
【請求項１】
電極端子を有する蓄電素子と、前記蓄電素子の第一方向側に設けられるスペーサと、前記蓄電素子の前記第一方向に交差する第二方向側であって、前記電極端子の位置する面に隣接する面側に設けられ、前記蓄電素子の温度を計測する温度センサである計測部と、を備える蓄電装置であって、
前記スペーサは、前記蓄電素子の前記第二方向側及びその反対側に設けられる一対の壁部を有し、
前記蓄電素子は、前記第二方向側に設けられる壁部からの距離が、前記反対側に設けられる壁部からの距離よりも短くなる位置に配置される
蓄電装置。
【請求項２】
蓄電素子と、前記蓄電素子の第一方向側に設けられるスペーサと、前記蓄電素子の前記第一方向に交差する第二方向側に設けられ、前記蓄電素子の状態を計測する計測部と、を備える蓄電装置であって、
前記スペーサは、前記蓄電素子の前記第二方向側及びその反対側に設けられる一対の壁部を有し、
前記蓄電素子は、前記第二方向側に設けられる壁部からの距離が、前記反対側に設けられる壁部からの距離よりも短くなる位置に配置され、
前記蓄電装置は、さらに、前記蓄電素子及び前記スペーサの前記第二方向側及びその反対側における端部に配置され、前記蓄電素子と前記スペーサとの間に前記第一方向における拘束力を付与する２つの拘束部材を備え、
前記２つの拘束部材のうち前記第二方向側に配置される第一拘束部材は、前記計測部よりも前記第一方向及び前記第二方向に交差する第三方向側に配置され、
前記２つの拘束部材のうち前記反対側に配置される第二拘束部材は、前記第一拘束部材の前記第三方向側とは反対側に配置される
蓄電装置。
【請求項３】
前記第一拘束部材及び前記第二拘束部材は、前記蓄電素子の中心に対して互いに略対称な位置に配置される
請求項２に記載の蓄電装置。
【請求項４】
蓄電素子と、前記蓄電素子の第一方向側に設けられるスペーサと、前記蓄電素子の前記第一方向に交差する第二方向側に設けられ、前記蓄電素子の状態を計測する計測部と、を備える蓄電装置であって、
前記スペーサは、前記蓄電素子の前記第二方向側及びその反対側に設けられる一対の壁部を有し、
前記蓄電素子は、前記第二方向側に設けられる壁部からの距離が、前記反対側に設けられる壁部からの距離よりも短くなる位置に配置され、
前記計測部は、（ｉ）前記蓄電素子の温度を計測する温度センサであり、かつ、（ｉｉ）前記蓄電素子の側面のうち、前記蓄電素子が備える集電体に対向する位置で当接する
蓄電装置。
【請求項５】
前記計測部は、前記集電体を構成する正極集電体及び負極集電体のうち抵抗が大きい方の集電体に対向する位置で当接する
請求項４に記載の蓄電装置。
【請求項６】
前記蓄電装置は、前記第一方向に並ぶ３以上の前記蓄電素子を備え、
前記３以上の蓄電素子の間には、複数のスペーサが設けられ、
前記計測部は、前記３以上の蓄電素子のうちで内側に配置される内側蓄電素子の前記第二方向側に設けられ、
前記複数のスペーサのうち、前記内側蓄電素子に当接するスペーサには、前記内側蓄電素子の前記第二方向側とは反対側の面に当接する位置に配置される突起部が形成されている
請求項５に記載の蓄電装置。
【請求項７】
前記スペーサは、さらに、前記蓄電素子の前記第二方向側とは反対側の面に当接する位置に配置される突起部を有する
請求項１から５のいずれか１項に記載の蓄電装置。
【請求項８】
前記突起部と前記計測部とは、前記第二方向において対応する位置に配置されている
請求項７に記載の蓄電装置。
【請求項９】
前記壁部には、前記計測部が設けられる位置に開口部が形成されている
請求項１から８のいずれか１項に記載の蓄電装置。
【発明の詳細な説明】
【技術分野】
【０００１】
本発明は、蓄電素子と蓄電素子の側方に設けられるスペーサとを備える蓄電装置に関する。
【背景技術】
【０００２】
従来、複数の蓄電素子（電池セル）を備える蓄電装置（組電池）において、当該複数の蓄電素子の間の絶縁を図るためのスペーサが設けられた構成が知られている（特許文献１参照）。特許文献１の蓄電装置には、複数の蓄電素子の、複数の蓄電素子の並び方向に交差する方向側に配置され、蓄電装置の温度を検出する温度センサ（温度検出器）が設けられており、温度センサの検出結果を蓄電装置の制御に利用している。
【先行技術文献】
【特許文献】
【０００３】
【特許文献１】特開２０１３−２０８９１号公報
【発明の概要】
【発明が解決しようとする課題】
【０００４】
しかしながら、上記従来の蓄電装置では、例えば、振動や衝撃が蓄電装置に与えられた場合には、蓄電素子と温度センサとの間に位置ずれが生じ、蓄電素子と温度センサとの間が離れてしまったり、温度検出器が蓄電素子の所望の位置から外れてしまったりすることにより、蓄電素子の温度を精度よく計測できないおそれがある。
【０００５】
本発明は、上記問題を解決するためになされたものであり、蓄電素子の状態を精度よく計測することができる蓄電装置を提供することを目的とする。
【課題を解決するための手段】
【０００６】
上記目的を達成するために、本発明の一態様に係る蓄電装置は蓄電素子と、前記蓄電素子の第一方向側に設けられるスペーサと、前記蓄電素子の前記第一方向に交差する第二方向側に設けられ、前記蓄電素子の状態を計測する計測部と、を備える蓄電装置であって、前記スペーサは、前記蓄電素子の前記第二方向側及びその反対側に設けられる一対の壁部を有し、前記蓄電素子は、前記第二方向側に設けられる壁部からの距離が、前記反対側に設けられる壁部からの距離よりも短くなる位置に配置される。
【０００７】
これによれば、蓄電素子は、第二方向の反対側の壁部よりも、計測部が設けられる側の第二方向側の壁部に近い位置に配置されるため、蓄電素子を計測部に確実に近づけた状態とすることができる。これにより、計測部は、蓄電素子の状態を精度よく計測することができる。
【０００８】
また、前記壁部には、前記計測部が設けられる位置に開口部が形成されていてもよい。
【０００９】
このため、蓄電素子の第二方向側の絶縁性を向上させることができ、かつ、計測部による蓄電素子の状態の計測を精度よくかつ容易にできる。
【００１０】
また、前記スペーサは、さらに、前記蓄電素子の前記第二方向側とは反対側の面に当接する位置に配置される突起部を有してもよい。
【００１１】
これによれば、蓄電素子の第一方向側に設けられるスペーサには、計測部が設けられる蓄電素子の面とは反対側の面に当接する位置に、突起部が形成されているため、蓄電素子をスペーサの第二方向側の壁部に近づけて配置することができる。これにより、蓄電素子を計測部に近づけた状態とすることができる。このため、計測部は、蓄電素子の状態を精度よく計測することができる。
【００１２】
また、前記突起部と前記計測部とは、前記第二方向において対応する位置に配置されていてもよい。
【００１３】
このため、スペーサは、少なくとも計測部に対応する位置で計測部に向けて蓄電素子を近づけることができる。
【００１４】
また、さらに、前記蓄電素子及び前記スペーサの前記第二方向側及びその反対側における端部に配置され、前記蓄電素子と前記スペーサとの間に前記第一方向における拘束力を付与する２つの拘束部材を備え、前記２つの拘束部材のうち前記第二方向側に配置される第一拘束部材は、前記計測部よりも前記第一方向及び前記第二方向に交差する第三方向側に配置され、前記２つの拘束部材のうち前記反対側に配置される第二拘束部材は、前記第一拘束部材の前記第三方向側とは反対側に配置されてもよい。
【００１５】
このため、２つの拘束部材は、計測部が配置される位置を除いた位置に配置できる。これにより計測部を蓄電素子の第二方向側に設けるときに２つの拘束部材に干渉せずに配置できる。また、２つの拘束部材は、蓄電素子及びスペーサの間に対して、第三方向の幅にわたって偏りなく拘束力を付与できる。これにより、計測部は、蓄電素子の状態を精度よく計測でき、また、２つの拘束部材は、蓄電素子及びスペーサの間に対してより安定的に拘束力を付与できる。
【００１６】
また、前記第一拘束部材及び前記第二拘束部材は、前記蓄電素子の中心に対して互いに略対称な位置に配置されてもよい。
【００１７】
このため、２つの拘束部材は、蓄電素子及びスペーサの間に対して、第三方向の幅にわたって平均的に拘束力を付与できる。これにより、２つの拘束部材は、蓄電素子及びスペーサの間に対して、より安定的に拘束力を付与できる。
【００１８】
また、前記計測部は、前記蓄電素子の温度を計測する温度センサであってもよい。
【００１９】
このため、計測部は、蓄電素子の温度を精度よく計測できる。
【００２０】
また、前記計測部は、前記蓄電素子の側面のうち、前記蓄電素子が備える集電体に対向する位置で当接してもよい。
【００２１】
このため、蓄電素子の側面のうち発熱しやすい集電体に対向する位置での温度を計測することができる。このため、計測部で計測された温度を、蓄電装置の各種制御に有効に利用できる。
【００２２】
また、前記計測部は、前記集電体を構成する正極集電体及び負極集電体のうち抵抗が大きい方の集電体に対向する位置で当接してもよい。
【００２３】
このた、蓄電素子の側面のうち発熱しやすい正極集電体に対向する位置での温度を計測することができる。このため、計測部で計測された温度を、蓄電装置の各種制御に有効に利用できる。
【００２４】
また、前記蓄電装置は、前記第一方向に並ぶ３以上の前記蓄電素子を備え、前記３以上の蓄電素子の間には、複数のスペーサが設けられ、前記計測部は、前記３以上の蓄電素子のうちで内側に配置される内側蓄電素子の前記第二方向側に設けられ、前記複数のスペーサのうち、前記内側蓄電素子に当接するスペーサには、前記突起部が形成されていてもよい。
【００２５】
これによれば、３以上の蓄電素子のうちで温度が上昇しやすい内側蓄電素子を計測部に確実に近づけることができる。これにより、計測部は、内側蓄電素子の温度を精度よく計測することができる。
【００２６】
また、前記突起部は、前記蓄電素子に対して前記計測部側に向かう付勢力を付与するように形成されていてもよい。
【００２７】
このため、スペーサは、蓄電装置に振動や衝撃が与えられたとしても、蓄電素子が計測部に近づいている状態を維持できる。
【００２８】
また、前記スペーサは、さらに、前記蓄電素子の前記第二方向側とは反対側に設けられる他の壁部を有し、前記他の壁部には前記突起部を含む複数の突起部が形成されていてもよい。
【００２９】
このため、第二方向に対して傾かないように蓄電素子を計測部に近づけることができる。つまり、計測部は、安定した状態の蓄電素子の面で蓄電素子の状態を計測できるため、蓄電素子の状態をより精度よく計測することができる。
【００３０】
なお、本発明は、このような蓄電装置として実現することができるだけでなく、当該蓄電装置が備えるスペーサとしても実現することができる。
【発明の効果】
【００３１】
本発明における蓄電装置によれば、蓄電素子の状態を精度よく計測することができる。
【図面の簡単な説明】
【００３２】
【図１】本発明の実施の形態に係る蓄電装置の外観を示す斜視図である。
【図２】本発明の実施の形態に係る蓄電装置を分解した場合の各構成要素を示す分解斜視図である。
【図３】本発明の実施の形態に係る蓄電ユニットの構成を示す斜視図である。
【図４】本発明の実施の形態に係る蓄電ユニットの構成を示す斜視図である。
【図５】本発明の実施の形態に係る蓄電素子の構成を示す斜視図である。
【図６】本発明の実施の形態に係る電気機器の構成を示す斜視図である。
【図７】本発明の実施の形態に係る電気機器を分解した場合の各構成要素を示す分解斜視図である。
【図８】本発明の実施の形態に係る蓄電ユニットと電気機器の一部との位置関係を示す斜視図である。
【図９Ａ】本発明の実施の形態に係るスペーサの構成を示す斜視図である。
【図９Ｂ】本発明の実施の形態に係るスペーサの構成を示す斜視図である。
【図１０】本発明の実施の形態に係るスペーサの構成を示す平面図である。
【図１１】蓄電ユニット及び電気機器が組み立てられた組立体を、計測部を通過するＸ−Ｙ平面で切断したときの断面図である。
【発明を実施するための形態】
【００３３】
以下、図面を参照しながら、本発明の実施の形態に係る蓄電装置について説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００３４】
（実施の形態）
まず、蓄電装置１の構成について、説明する。
【００３５】
図１は、本発明の実施の形態に係る蓄電装置１の外観を示す斜視図である。また、図２は、本発明の実施の形態に係る蓄電装置１を分解した場合の各構成要素を示す分解斜視図である。
【００３６】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。
【００３７】
蓄電装置１は、外部からの電気を充電し、また外部へ電気を放電することができる装置である。例えば、蓄電装置１は、電力貯蔵用途や電源用途等に使用される電池モジュールである。
【００３８】
これらの図に示すように、蓄電装置１は、第一外装体１１及び第二外装体１２からなる外装体１０と、外装体１０内方に収容される蓄電ユニット３０及び電気機器４０とを備えている。
【００３９】
外装体１０は、蓄電ユニット３０及び電気機器４０の外方に配置される、蓄電装置１の外装体を構成する矩形状（箱状）の容器（モジュールケース）である。つまり、外装体１０は、蓄電ユニット３０及び電気機器４０を所定の位置に配置し、蓄電ユニット３０及び電気機器４０を衝撃等から保護する。また、外装体１０は、例えばポリカーボネートやポリプロピレン（ＰＰ）等の絶縁性の樹脂等により構成されており、蓄電ユニット３０及び電気機器４０が外部の金属部材等に接触することを回避する。
【００４０】
ここで、外装体１０は、外装体１０の蓋体を構成する第一外装体１１と、外装体１０の本体を構成する第二外装体１２とを有している。第一外装体１１は、第二外装体１２の開口を閉塞する扁平な矩形状のカバー部材であり、正極外部端子２１と負極外部端子２２とが設けられている。蓄電装置１は、この正極外部端子２１と負極外部端子２２とを介して、外部からの電気を充電し、また外部へ電気を放電する。また、第二外装体１２は、開口が形成された有底矩形筒状のハウジングであり、蓄電ユニット３０及び電気機器４０を収容する。
【００４１】
なお、第一外装体１１と第二外装体１２とは、同じ材質の部材で形成されていてもよいし、異なる材質の部材で形成されていてもかまわない。
【００４２】
蓄電ユニット３０は、複数の蓄電素子を有しており、第一外装体１１に設けられた正極外部端子２１と負極外部端子２２とに接続される。本実施の形態では、図２に示すように、蓄電ユニット３０は、複数の蓄電素子が横置きになった状態でＺ軸方向に積み重ねられて、第二外装体１２内に配置される。そして、蓄電ユニット３０は、上方から第一外装体１１が被せられて、外装体１０の内方に収容される。なお、蓄電ユニット３０の詳細な構成の説明については、後述する。
【００４３】
電気機器４０は、内方に回路基板やリレー等が配置された矩形状の機器であり、蓄電ユニット３０の側方（Ｘ軸方向プラス側）に配置されている。本実施の形態では、図２に示すように、電気機器４０は、回路基板が縦置きになった状態でＺ軸方向に立てられて、第二外装体１２内に配置される。そして、電気機器４０は、上方から第一外装体１１が被せられて、外装体１０の内方に収容される。なお、電気機器４０の詳細な構成の説明については、後述する。
【００４４】
次に、蓄電ユニット３０の構成について、詳細に説明する。
【００４５】
図３及び図４は、本発明の実施の形態に係る蓄電ユニット３０の構成を示す斜視図である。具体的には、図３は、蓄電ユニット３０からバスバーフレーム５００とバスバー６００とを分離した場合の構成を示す分解斜視図である。また、図４は、蓄電ユニット３０からバスバーフレーム５００とバスバー６００とを分離した構成要素をさらに分解した場合の各構成要素を示す分解斜視図である。
【００４６】
なお、これらの図及び以降の図では、説明の便宜のため、Ｙ軸方向を上下方向として示しており、Ｙ軸方向を上下方向として説明している箇所があるが、実際の使用態様において、Ｙ軸方向が上下方向になるとは限らない。
【００４７】
これらの図に示すように、蓄電ユニット３０は、複数の蓄電素子１００（本実施の形態では、８つの蓄電素子１００）と、複数のスペーサ２００（本実施の形態では、７つのスペーサ２００）と、一対の挟持部材３００と、複数の拘束部材４００（本実施の形態では、４つの拘束部材４１０〜４４０）と、バスバーフレーム５００と、複数のバスバー６００とを備えている。
【００４８】
蓄電素子１００は、電気を充電し、また、電気を放電することのできる二次電池（単電池）であり、より具体的には、リチウムイオン二次電池等の非水電解質二次電池である。蓄電素子１００は、扁平な矩形状を有しており、スペーサ２００に隣接して配置されている。つまり、複数の蓄電素子１００のそれぞれが、複数のスペーサ２００のそれぞれと交互に配置され、Ｚ軸方向に並べられている。要するに、スペーサ２００は、蓄電素子１００の側方に設けられる。
【００４９】
本実施の形態では、蓄電素子１００は、外装体１０内方に横向きにして配置されている（図２参照）が、同図では、説明の便宜のため、蓄電素子１００は、電極端子を上方に向けて配置された状態で図示している。なお、蓄電素子１００は、非水電解質二次電池には限定されず、非水電解質二次電池以外の二次電池であってもよいし、キャパシタであってもよい。蓄電素子１００の詳細な構成の説明については、後述する。
【００５０】
スペーサ２００は、隣り合う２つの蓄電素子１００の間に配置され、当該２つの蓄電素子１００間を絶縁する樹脂等で形成された絶縁性の板状部材を有する。本実施の形態では、８つの蓄電素子１００の間に、７枚のスペーサ２００が配置されている。なお、スペーサ２００は、例えばポリカーボネートやポリプロピレン（ＰＰ）等の絶縁性の樹脂により形成されているが、絶縁性を有する部材であればどのような材質で形成されていてもかまわない。
【００５１】
また、スペーサ２００は、蓄電素子１００の正面側または背面側の略半分（Ｚ軸方向に２つに分けた場合の略半分）を覆うように、形成されている。つまり、スペーサ２００の正面側または背面側の両面（Ｚ軸方向の両面）には凹部が形成されており、当該凹部に上記の蓄電素子１００の略半分が挿入される。このような構成により、蓄電素子１００を挟む２つのスペーサ２００が、蓄電素子１００のほとんどの部分を覆うこととなるので、スペーサ２００によって、蓄電素子１００と他の導電性部材との間の絶縁性を向上させることができている。スペーサ２００の詳細な構成については、後述する。
【００５２】
挟持部材３００は、一対の平板状部材である挟持部材３１０及び３２０からなり、複数の蓄電素子１００を、当該複数の蓄電素子１００の並び方向（Ｚ軸方向）の両側から挟み込んで保持する。
【００５３】
つまり、挟持部材３１０は、複数の蓄電素子１００のうちの最もＺ軸方向プラス側に配置された蓄電素子１００よりも、Ｚ軸方向プラス側に配置された平板状部材である。また、挟持部材３２０は、複数の蓄電素子１００のうちの最もＺ軸方向マイナス側に配置された蓄電素子１００よりも、Ｚ軸方向マイナス側に配置された平板状部材である。そして、挟持部材３１０と挟持部材３２０とで、複数の蓄電素子１００及び複数のスペーサ２００を、当該複数の蓄電素子１００及び複数のスペーサ２００の並び方向（Ｚ軸方向）の両側から挟み込んで保持する。
【００５４】
また、挟持部材３００（挟持部材３１０、３２０）は、強度の観点等から、例えばステンレスやアルミニウム等の金属製（導電性）の部材で形成されているが、隣り合う蓄電素子１００との間に、絶縁性の部材が配置されることで、蓄電素子１００との絶縁性を確保している。なお、挟持部材３００は、金属製（導電性）の部材に限定されず、例えば強度の高い絶縁性の部材で形成されていてもよい。また、挟持部材３１０と挟持部材３２０とは、同じ材質の部材で形成されていてもよいし、異なる材質の部材で形成されていてもかまわない。
【００５５】
拘束部材４００は、両端が挟持部材３００に取り付けられて、複数の蓄電素子１００を拘束する部材である。つまり、拘束部材４００は、当該複数の蓄電素子１００を跨ぐように配置され、当該複数の蓄電素子１００に対して複数の蓄電素子の並び方向（Ｚ軸方向）における拘束力を付与する。なお、拘束部材４００は、挟持部材３００と同様に、例えばステンレスやアルミニウム等の金属製の部材で形成されているのが好ましいが、金属以外の部材で形成されていてもかまわない。
【００５６】
具体的には、拘束部材４００は、一端が挟持部材３１０に取り付けられるとともに、他端が挟持部材３２０に取り付けられる。そして、拘束部材４００は、複数の蓄電素子１００及び複数のスペーサ２００に対して、当該複数の蓄電素子１００及び複数のスペーサ２００の並び方向における拘束力を付与する。
【００５７】
ここで、拘束部材４００は、拘束部材４１０〜４４０からなる。拘束部材４１０及び４２０は、複数の蓄電素子１００の上下方向両側（Ｙ軸方向の両側）に配置され、当該複数の蓄電素子１００を当該両側から挟み込んで拘束する。また、拘束部材４３０及び４４０は、複数の蓄電素子１００の両側方（Ｘ軸方向の両側）に配置され、当該複数の蓄電素子１００を当該両側方から挟み込んで拘束する。
【００５８】
具体的には、拘束部材４１０及び拘束部材４２０は、当該複数の蓄電素子１００のＹ軸方向プラス側及びマイナス側に配置された一対の長尺状かつ平板状の部材である。また、拘束部材４３０及び拘束部材４４０は、当該複数の蓄電素子１００のＸ軸方向プラス側及びマイナス側に配置された一対の長尺状かつ平板状の部材である。
【００５９】
バスバーフレーム５００は、バスバー６００と他の部材との絶縁、蓄電装置１内に配置される各種の配線等の保護、及び、バスバー６００の位置規制を行うことができる部材である。特に、バスバーフレーム５００は、バスバー６００を、複数の蓄電素子１００に対して位置決めする。
【００６０】
具体的には、バスバーフレーム５００は、複数の蓄電素子１００の上方（Ｙ軸方向プラス側）に載置され、複数の蓄電素子１００に対して位置決めされる。また、バスバーフレーム５００上には、バスバー６００が載置される。この際、バスバーフレーム５００の有する突起部が、バスバー６００に形成された開口部に挿入されることで、バスバーフレーム５００に対してバスバー６００が位置決めされる。これにより、バスバー６００は、複数の蓄電素子１００に対して位置決めされ、そして、複数の蓄電素子１００が有するそれぞれの電極端子に接合される。
【００６１】
なお、バスバーフレーム５００は、例えばポリカーボネートやポリプロピレン（ＰＰ）等の絶縁性の樹脂により形成されているが、絶縁性を有する部材であればどのような材質で形成されていてもかまわない。また、バスバーフレーム５００の詳細な構成、及びバスバーフレーム５００がバスバー６００を位置決めする詳細な構成の説明については、後述する。
【００６２】
バスバー６００は、複数の蓄電素子１００のそれぞれと電気的に接続されるバスバーである。つまり、バスバー６００は、複数の蓄電素子１００が有するそれぞれの電極端子と電気的に接続される導電性の部材であり、当該複数の蓄電素子１００が有するいずれかの電極端子同士を電気的に接続する。
【００６３】
なお、バスバー６００は、導電性の部材として、例えばアルミニウムで形成されているが、バスバー６００の材質は特に限定されない。また、バスバー６００は、全てが同じ材質の部材で形成されていてもよいし、いずれかのバスバーが異なる材質の部材で形成されていてもかまわない。
【００６４】
次に、蓄電素子１００の構成について、詳細に説明する。
【００６５】
図５は、本発明の実施の形態に係る蓄電素子１００の構成を示す斜視図である。具体的には、同図は、蓄電素子１００の容器１１０を透視して蓄電素子１００の内部を示す斜視図である。
【００６６】
同図に示すように、蓄電素子１００は、容器１１０、正極端子１２０及び負極端子１３０を備えている。また、容器１１０内方には、電極体１４０、正極集電体１５０及び負極集電体１６０が配置されている。なお、容器１１０の内部には電解液等の液体が封入されているが、当該液体の図示は省略する。
【００６７】
容器１１０は、金属からなる矩形筒状で底を備える本体と、当該本体の開口を閉塞する金属製の蓋部とで構成されている。容器１１０は、電極体１４０等を内部に収容後、蓋部と本体とが溶接等されることにより、内部を密封することができるものとなっている。
【００６８】
電極体１４０は、正極と負極とセパレータとを備え、電気を蓄えることができる発電要素である。具体的には、電極体１４０は、正極と負極との間にセパレータが挟み込まれるように層状に配置されたものを巻回されて形成された巻回型の電極体である。なお、電極体１４０は、平板状極板を積層した積層型の電極体であってもかまわない。
【００６９】
ここで、正極は、アルミニウムまたはアルミニウム合金等からなる長尺帯状の導電性の正極集電箔の表面に正極活物質層が形成された電極板であり、負極は、銅または銅合金等からなる長尺帯状の導電性の負極集電箔の表面に負極活物質層が形成された電極板であり、セパレータは、微多孔性のシートである。なお、蓄電素子１００に用いられる正極、負極及びセパレータは、特に従来用いられてきたものと異なるところはなく、蓄電素子１００の性能を損なうものでなければ適宜公知の材料を使用できる。また、容器１１０に封入される電解液（非水電解質）としても、蓄電素子１００の性能を損なうものでなければその種類に特に制限はなく様々なものを選択することができる。
【００７０】
正極端子１２０は、正極集電体１５０を介して、電極体１４０の正極に電気的に接続された電極端子であり、負極端子１３０は、負極集電体１６０を介して、電極体１４０の負極に電気的に接続された電極端子である。つまり、正極端子１２０及び負極端子１３０は、電極体１４０に蓄えられている電気を蓄電素子１００の外部空間に導出し、また、電極体１４０に電気を蓄えるために蓄電素子１００の内部空間に電気を導入するための金属製の電極端子である。
【００７１】
正極集電体１５０は、電極体１４０の正極と容器１１０の側壁との間に配置され、正極端子１２０と正極とに電気的に接続される導電性と剛性とを備えた部材である。なお、正極集電体１５０は、正極の正極集電箔と同様、アルミニウムまたはアルミニウム合金等で形成されている。また、負極集電体１６０は、電極体１４０の負極と容器１１０の側壁との間に配置され、負極端子１３０と電極体１４０の負極とに電気的に接続される導電性と剛性とを備えた部材である。なお、負極集電体１６０は、負極の負極集電箔と同様、銅または銅合金等で形成されている。
【００７２】
次に、電気機器４０の構成について、詳細に説明する。
【００７３】
図６は、本発明の実施の形態に係る電気機器４０の構成を示す斜視図である。図７は、本発明の実施の形態に係る電気機器４０を分解した場合の各構成要素を示す分解斜視図である。図８は、本発明の実施の形態に係る蓄電ユニット３０と電気機器４０の一部との位置関係を示す斜視図である。
【００７４】
図６及び図７に示すように、電気機器４０は、箱状の電気機器容器７０１の内方に、回路基板７３０と、計測部７４０と、正極バスバー７５０と、リレー７６０とを含む各種部品が収容されることで構成されている。
【００７５】
電気機器容器７０１は、例えばポリカーボネートやポリプロピレン（ＰＰ）等の絶縁性の樹脂からなる箱状部材であり、蓋部７１０と、容器本体７２０とからなる。蓋部７１０は、外周部（具体的には、Ｙ軸方向の両端及びＺ軸方向の両端）に容器本体７２０と係合するための複数の係合部７１１を有する。容器本体７２０は、各種部品を収容可能な矩形筒状で底を備えた構成であり、側壁（具体的には、Ｙ軸方向の両端及びＺ軸方向の両端に形成される側壁）に複数の係合部７１１により係合される、突起状の複数の被係合部７２１を有する。電気機器容器７０１は、蓋部７１０の複数の係合部７１１がそれぞれ、容器本体７２０複数の被係合部７２１に係合することにより、各種部品を収容する箱状部材となる。
【００７６】
回路基板７３０は、配線（リード線）によって蓄電ユニット３０内のそれぞれの蓄電素子１００の正極端子１２０または負極端子１３０、計測部７４０等に接続され、例えば、当該蓄電素子１００の充電状態や放電状態（電圧、温度等の電池状態）等を取得し、監視し、制御する。
【００７７】
計測部７４０は、蓄電ユニット３０のうちの２つの蓄電素子１００の温度を計測する温度センサ（サーミスタ）である。計測部７４０は、容器本体７２０のＸ軸方向マイナス側の底面に形成される開口部７２２に配置される。つまり、計測部７４０は、蓄電素子１００のＸ軸方向プラス側に設けられる。具体的には、計測部７４０は、図８に示すように、蓄電ユニット３０のうちのＺ軸方向プラス側から２番目に配置される蓄電素子１００ａの温度を計測する計測部７４１と、Ｚ軸方向プラス側から４番目に配置される蓄電素子１００ｂの温度を計測する計測部７４２とを有する（図３及び図４も参照）。計測部７４１は、蓄電素子１００ａの負極側の側面に面接触するように配置されており、計測部７４２は、蓄電素子１００ｂの正極側の側面に面接触するように配置されている。より具体的には、計測部７４０は、スペーサ２００により覆われている蓄電素子１００のＸ軸方向プラス側の側面のうち、スペーサ２００に設けられた開口部２２３ａにより露出されている側面に、面接触するように配置されている。このように、計測部７４０は、蓄電素子１００のＸ軸方向プラス側の側面に当接するため、蓄電素子１００の正極集電体１５０または負極集電体１６０に対向する位置で当接する。なお、計測部７４０は、蓄電素子１００の側面のうちの正極集電体１５０または負極集電体１６０に対向する位置の中でも電極端子１２０、１３０よりの位置で当接することが好ましい。これは、蓄電素子１００のうちでも正極集電体１５０または負極集電体１６０が発熱しやすいからであり、また、電極端子１２０、１３０に近い位置でより発熱しやすいからである。
【００７８】
このように、計測部７４０は、蓄電ユニット３０のうちの複数の蓄電素子１００の並び方向（Ｚ軸方向）の中央付近に配置される蓄電素子１００ｂの温度を計測しているため、複数の蓄電素子１００のうちの温度が上昇しやすい蓄電素子１００ｂの温度を計測できる。また、計測部７４２は、蓄電素子１００ｂの負極側よりも発熱しやすい正極側の側面（つまり、正極集電体１５０に対向する位置）に配置されるため、蓄電素子１００ｂのうちで温度が上昇しやすい部分での温度を計測できる。なお、正極集電体１５０の方が負極集電体１６０よりも温度が上昇しやすいのは、正極集電体１５０を構成しているアルミニウム（アルミニウム合金）は、負極集電体１６０を構成している銅（銅合金）よりも抵抗が大きいからである。つまり、計測部７４２は、蓄電ユニット３０のうちで最も温度が上昇しやすい部分の温度を計測している。このため、計測部７４２で計測された温度を、回路基板７３０での各種制御に有効に利用できる。
【００７９】
正極バスバー７５０は、複数の蓄電素子１００がバスバー６００により電気的に接続されてなる蓄電ユニット３０の正極端子と、リレー７６０とに電気的に接続されるバスバーである。正極バスバー７５０は、蓄電ユニット３０の正極端子と、リレー７６０とに接続される部分を除く部分が、熱収縮チューブによりなる絶縁部材７５１により覆われている。
【００８０】
リレー７６０は、正極バスバー７５０と、正極外部端子２１とに電気的に接続されており、回路基板７３０の制御信号に応じて蓄電ユニット３０の正極端子と正極外部端子２１との導通及び非導通を切り替えるリレースイッチである。
【００８１】
次に、スペーサ２００の構成について、詳細に説明する。
【００８２】
図９Ａ及び図９Ｂは、本発明の実施の形態に係るスペーサ２００の構成を示す斜視図である。図１０は、本発明の実施の形態に係るスペーサ２００の構成を示す平面図である。
【００８３】
これらの図に示すように、スペーサ２００は、蓄電素子１００のＺ軸方向側に配置される板状部材２１０と、蓄電素子１００のＸ軸方向の両側及びＹ軸方向の両側に配置される壁部２２０とを有する。
【００８４】
スペーサ２００は、板状部材２１０からＺ軸方向の両側に向かって突出している、圧迫突出部２１１、環状突出部２１２及び中空突出部２１３、２１４を有する。板状部材２１０は、Ｘ−Ｙ平面に沿って形成される、Ｘ軸方向に長い矩形状の板状部材である。圧迫突出部２１１、環状突出部２１２及び複数の中空突出部２１３、２１４は、蓄電素子１００及びスペーサ２００の間に対して拘束部材４００により拘束力が付与された状態で、蓄電素子１００に当接する突出部である。
【００８５】
圧迫突出部２１１は、蓄電素子１００に当接することで蓄電素子１００を圧迫する。圧迫突出部２１１は、板状部材２１０の中央付近に形成されており、Ｚ軸方向から見たときにＸ軸方向に長い矩形状で突出している。つまり、圧迫突出部２１１は、蓄電素子１００の側面の中央に対向する位置に設けられている。
【００８６】
環状突出部２１２は、蓄電素子１００に向かって環状に突出し、かつ、環状の内方空間を密閉するように蓄電素子１００に当接する。環状突出部２１２は、板状部材２１０の外周部からＺ軸方向の両側に向かって突出している。つまり、スペーサ２００は、板状部材２１０の両側方に設けられる２つの蓄電素子１００のそれぞれに向かって突出した２つの環状突出部２１２を有する。環状突出部２１２は、壁部２２０の内側に沿って、圧迫突出部２１１を囲うように形成されている。つまり、圧迫突出部２１１は、環状突出部２１２の内方空間に形成されている。また、環状突出部２１２は、蓄電素子１００の側面の外周部に沿って形成されている。
【００８７】
複数の中空突出部２１３、２１４は、内方に空間が形成されるように蓄電素子１００に向かって突出している。複数の中空突出部２１３、２１４は、突出している部分の反対側が、突出している形状に沿うように窪んでいる形状を有する。つまり、複数の中空突出部２１３、２１４には、突出している部分の反対側が窪むことにより形成される空間が、内方に形成されている。また、複数の中空突出部２１３、２１４は、先端に向かうにつれて突出方向に垂直な方向での間隔が小さくなるように傾斜する形状を有する。つまり、複数の中空突出部２１３、２１４は、略円錐台形状で突出している。
【００８８】
複数の中空突出部２１３、２１４は、板状部材２１０からＺ軸方向プラス側に突出している複数の第一中空突出部２１３と、板状部材２１０からＺ軸方向マイナス側に突出している複数の第二中空突出部２１４とを含む。つまり、第一中空突出部２１３は、スペーサ２００の両側方に設けられる２つの蓄電素子１００の一方に向かって突出している。第二中空突出部２１４は、当該２つの蓄電素子１００の他方に向かって突出している。なお、第一中空突出部２１３及び第二中空突出部２１４は、互いに反対側に向かって突出していることが異なるだけであり、突出及び陥没している形状は互いに同じである。複数の中空突出部２１３、２１４は、環状突出部２１２の内方空間に、圧迫突出部２１１を囲うように環状に並んで配置されている。また、複数の第一中空突出部２１３のそれぞれと、複数の第二中空突出部２１４のそれぞれとは、交互に配置されている。
【００８９】
壁部２２０は、板状部材２１０の外縁からＺ軸方向の両側に向かって延び、かつ、蓄電素子１００の四方を囲むように形成される。つまり、スペーサ２００の、蓄電素子１００の正面側または背面側の略半分を覆うような凹部は、板状部材２１０及び壁部２２０により、形成されている。壁部２２０は、蓄電素子１００のＹ軸方向プラス側に設けられる壁部２２１と、蓄電素子１００のＹ軸方向マイナス側に設けられる壁部２２２と、蓄電素子１００のＸ軸方向プラス側に設けられる壁部２２３と、蓄電素子１００のＸ軸方向マイナス側に設けられる壁部２２４とを有する。壁部２２３には、計測部７４０が設けられる位置に開口部２２３ａが形成されている。つまり、壁部２２３には、計測部７４０が蓄電素子１００の側面に直接接触できるように、蓄電素子１００の側面を露出させるための開口部２２３ａが形成されている。なお、蓄電素子１００は、上述したように、２つのスペーサ２００の間に配置され、計測部７４０が設けられるＸ軸方向プラス側の側面は、Ｚ軸方向の両側から２つのスペーサ２００の壁部２２３により覆われる。このため、スペーサ２００の壁部２２３のＺ軸方向の両側に切り欠き状に開口部２２３ａを形成することにより、隣接するスペーサ２００と組み合わせられることで、矩形状の開口を蓄電素子１００のＸ軸方向プラス側の側面に形成することができる。つまり、蓄電素子１００のＸ軸方向プラス側の側面のＺ軸方向中心を通る領域を露出させることができる。
【００９０】
壁部２２０には、壁部２２０から壁部２２０の外方に向かって十字状に突出している十字突出部２３０が形成されている。具体的には、壁部２２１には、Ｙ軸方向プラス側に突出する十字突出部２３１が形成されており、壁部２２２には、Ｙ軸方向マイナス側に突出する十字突出部２３２が形成されており、壁部２２３には、Ｘ軸方向プラス側に突出する十字突出部２３３が形成されており、壁部２２４には、Ｘ軸方向マイナス側に突出する十字突出部２３４が形成されている。このように、壁部２２０には、十字突出部２３０が形成されているため、拘束部材４００により拘束された状態で、拘束部材４００との間の間隔を十字突出部２３０で埋めることができる。
【００９１】
スペーサ２００は、各突出部２１１〜２１４が当接する蓄電素子１００の面と交差する面に当接する位置に配置される複数の突起部２４１、２４２を有する。本実施の形態では、スペーサ２００は、板状部材２１０のＸ軸方向マイナス側の端部と壁部２２４とに跨がるように形成される４つの突起部２４１と、板状部材２１０のＹ軸方向プラス側の端部と壁部２２１とに跨がるように形成される４つの突起部２４２とを有する。
【００９２】
なお、スペーサ２００は、一体に形成されている。つまり、スペーサ２００が有する、板状部材２１０、壁部２２０、各突出部２１１、２１２、２１３、２１４、２３０及び複数の突起部２４１、２４２は、上述した材料（樹脂）により、一体成形されることにより形成されている。
【００９３】
次に、複数の突起部２４１が蓄電素子１００を計測部７４０に向けて付勢する付勢力について図１１を用いて説明する。
【００９４】
図１１は、蓄電ユニット３０及び電気機器４０が組み立てられた組立体を、計測部７４０を通過するＸ−Ｙ平面で切断したときの断面図である。
【００９５】
図１１に示すように、複数の突起部２４１は、スペーサ２００の側方の所定の位置に蓄電素子１００が配置された場合、蓄電素子１００のＸ軸方向マイナス側の面と当接することにより、蓄電素子１００をＸ軸方向プラス側に向けて付勢する。つまり、複数の突起部２４１は、蓄電素子１００に対して計測部７４０側に向かう付勢力を付与するように形成されている。また、蓄電素子１００は、複数の突起部２４１によりＸ軸方向プラス側に向けて付勢されており、かつ、スペーサ２００のＸ軸方向プラス側の壁部２２３には突起部が形成されていないため、蓄電素子１００のＸ軸方向プラス側の側面が壁部２２３に当接する。これにより、スペーサ２００の側方の所定の位置に蓄電素子１００が配置された場合、スペーサ２００のＸ軸方向プラス側の壁部２２３及び蓄電素子１００の間の距離ｄ１は、スペーサ２００のＸ軸方向マイナス側の壁部２２４及び蓄電素子１００の距離ｄ２よりも短い。このようにして、蓄電素子１００は、複数の突起部２４１及び壁部２２３により、スペーサ２００に対するＸ軸方向の位置決めがなされる。
【００９６】
複数の突起部２４２は、スペーサ２００の側方の所定の位置に蓄電素子１００が配置された場合、蓄電素子１００のＹ軸方向プラス側の面と当接することにより、蓄電素子１００をＹ軸方向マイナス側に向けて付勢する。蓄電素子１００は、複数の突起部２４２によりＹ軸方向マイナス側に向けて付勢されているため、蓄電素子１００のＹ軸方向マイナス側の側面が壁部２２２に当接する。つまり、蓄電素子１００は、複数の突起部２４２及び壁部２２２により、スペーサ２００に対するＹ軸方向の位置決めがなされる。
【００９７】
このように、スペーサ２００は、複数の突起部２４１、２４２、壁部２２２及び壁部２２３が形成されている構成であるため、蓄電素子１００とスペーサ２００との間のＸ軸方向及びＹ軸方向の位置決めを容易にできる。
【００９８】
なお、蓄電素子１００と組み立てられる前のスペーサ２００では、複数の突起部２４１のＸ軸方向プラス側の先端と壁部２２３との間の間隔は、蓄電素子１００のＸ軸方向の幅よりも若干小さく、複数の突起部２４２のＹ軸方向マイナス側の先端と壁部２２３との間の間隔は、蓄電素子１００のＹ軸方向の幅よりも若干小さい。このため、スペーサ２００に蓄電素子１００を組み合わせたときに、複数の突起部２４１のＸ軸方向プラス側の先端と、複数の突起部２４２のＹ軸方向マイナス側の先端とが蓄電素子１００のＸ軸方向マイナス側の側面及びＹ軸方向プラス側の側面に当接し、かつ、変形することにより、蓄電素子１００に対してＸ軸方向プラス側及びＹ軸方向マイナス側への付勢力を付与することができる。
【００９９】
また、計測部７４０は、電気機器容器７０１の容器本体７２０に形成された付勢部７２３によりＸ軸方向マイナス側に向けて付勢されている。つまり、計測部７４０及び蓄電素子１００は、互いに近づくように、それぞれが容器本体７２０の付勢部７２３とスペーサ２００の複数の突起部２４１により付勢されている。
【０１００】
次に、拘束部材４３０、４４０の配置位置について図１１を用いて説明する。
【０１０１】
図１１に示すように、蓄電素子１００及びスペーサ２００のＸ軸方向における両端に配置される２つの拘束部材４３０、４４０は、Ｙ軸方向に異なる位置に配置されている。より具体的には、２つの拘束部材４３０、４４０のうちの一方である第一拘束部材としての拘束部材４３０は、計測部７４０よりもＹ軸方向マイナス側に配置されており、２つの拘束部材４３０、４４０のうちの他方である第二拘束部材としての拘束部材４４０は、拘束部材４３０のＸ軸方向マイナス側、かつ、拘束部材４３０のＹ軸方向プラス側に配置される。また、２つの拘束部材４３０、４４０は、蓄電素子１００の中心に対して互いに略対称な位置に配置される。つまり、２つの拘束部材４３０、４４０は、Ｘ軸方向で互いに対向しないように、互い違いな位置に配置されている。
【０１０２】
以上のように、本発明の実施の形態に係る蓄電装置１によれば、蓄電素子１００は、Ｘ軸方向マイナス側の壁部２２４よりも、計測部７４０が設けられる側のＸ軸方向プラス側の壁部２２３に近い位置に配置されるため、蓄電素子１００を計測部７４０に確実に近づけた状態とすることができる。これにより、計測部７４０は、蓄電素子１００の状態を精度よく計測することができる。
【０１０３】
また、突起部２４１は、蓄電素子１００に対して計測部７４０側に向かう付勢力を付与するように形成されている。このため、スペーサ２００は、蓄電装置に振動や衝撃が与えられたとしても、蓄電素子１００計測部７４０に近づいている状態を維持できる。
【０１０４】
また、スペーサ２００は蓄電素子１００のＸ軸方向プラス側の面とは、反対側の面に当接する位置に配置され、かつ、蓄電素子１００を計測部７４０に近づけるための突起部２４１を有する。つまり、蓄電素子１００のＺ軸方向側（つまり側方）に隣接して設けられるスペーサ２００には、計測部７４０が設けられる蓄電素子１００の面とは反対側の面に当接する位置に、突起部２４１が形成されているため、スペーサ２００の側方に蓄電素子１００を配置したときに、蓄電素子１００を計測部７４０に確実に近づけることができる。これにより、計測部７４０は、蓄電素子１００の温度を精度よく計測することができる。
【０１０５】
また、スペーサ２００の、蓄電素子１００のＸ軸方向プラス側に設けられる壁部２２３には、計測部７４０が設けられる位置に開口部２２３ａが形成されている。このため、蓄電素子１００のＸ軸方向プラス側の絶縁性を向上させつつ、計測部７４０による蓄電素子１００の温度の計測を精度よくかつ容易にできる。
【０１０６】
また、スペーサ２００の、蓄電素子１００のＸ軸方向マイナス側に設けられる壁部２２４には、複数の突起部２４１が形成されている。このため、Ｘ軸方向に対して傾かないように蓄電素子１００を計測部７４０に近づけることができる。つまり、計測部７４０は、安定した状態の蓄電素子１００の面で蓄電素子１００の温度を計測できるため、蓄電素子１００の状態を精度よく計測することができる。
【０１０７】
また、２つの拘束部材４３０、４４０のうちの一方である拘束部材４３０は、蓄電素子１００及びスペーサ２００の計測部７４０が配置される側と同じ側に配置され、かつ、計測部７４０よりもＹ軸方向側に配置されている。このため、２つの拘束部材４３０、４４０は、計測部７４０が配置される位置を除いた位置に配置できる。これにより、計測部７４０を蓄電素子１００のＸ軸方向プラス側に設けるときに２つの拘束部材４３０、４４０に干渉せずに配置できる。また、２つの拘束部材４３０、４４０は、Ｙ軸方向の幅にわたって偏りなく拘束力を付与できる。これにより、計測部７４０は、確実に蓄電素子１００の温度を計測でき、また、２つの拘束部材４３０、４４０は、蓄電素子１００及びスペーサ２００の間に対してより安定的に拘束力を付与できる。
【０１０８】
なお、本実施の形態のように、蓄電素子１００及びスペーサ２００を第二方向で挟み込んで配置される２つの拘束部材を、第三方向に異なる位置に配置する場合、第二方向の全域にわたって拘束力を加えるには、矩形状の挟持部材３００の短辺側に２つの拘束部材を設けることが好ましい。また、本実施の形態のように、２つの拘束部材を、挟持部材３００の短辺側において、短辺とは交差する方向で異なる位置（つまり、互い違いな位置）に配置することで、長辺側において互い違いな位置に配置する場合よりも、偏った分布の拘束力を付与することを低減できる。
【０１０９】
また、２つの拘束部材４３０、４４０は、蓄電素子１００の中心に対して互いに略対称な位置に配置される。このため、２つの拘束部材４３０、４４０は、蓄電素子１００及びスペーサ２００の間に対して、Ｙ軸方向の幅にわたって偏りなく平均的に拘束力を付与できる。これにより、２つの拘束部材４３０、４４０は、蓄電素子１００及びスペーサ２００の間に対して、より安定的に拘束力を付与できる。
【０１１０】
以上、本発明の実施の形態に係る蓄電装置１について説明したが、本発明は、上記実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１１１】
例えば、上記実施の形態では、スペーサ２００には、蓄電素子１００の計測部７４０が当接する面とは反対側の面に当接するように複数の突起部２４１が設けられているが、複数の突起部２４１に限らずに、１つの突起部が設けられているスペーサが採用されてもよい。なお、この場合、当該突起部は、計測部７４０とＸ軸方向において対応する位置に配置されていることが望ましい。なお、この場合のＸ軸方向は、蓄電素子１００のＸ軸方向に面する側面に対して略垂直な方向である。つまり、突起部は、計測部７４０のＹ軸方向の位置に含まれる位置に配置されることが望ましい。これにより、１つの突起部であっても、Ｘ軸方向に沿った付勢力を蓄電素子１００に付与できるため、蓄電素子１００を効果的に計測部７４０に近づけることができる。また、複数の突起部が形成されるスペーサであっても、複数の突起部を包含するＹ軸方向の範囲が、計測部７４０が配置されるＹ軸方向の位置と重なる位置に配置されることが望ましい。これにより、当該スペーサは、少なくとも計測部７４０に対応する位置で、計測部７４０に向けて蓄電素子１００を近づけることができる。また、突起部と、計測部７４０とは、蓄電素子１００をＸ軸方向で挟んで対向するように配置されていると言うこともできる。
【０１１２】
また、上記実施の形態では、スペーサ２００には、Ｘ軸方向マイナス側の壁部２２４に複数の突起部２４１が設けられており、Ｘ軸方向プラス側の壁部２２３には複数の突起部が設けられていない構成であるが、Ｘ軸方向プラス側の壁部に複数の突起部が設けられる構成であってもよい。この場合、Ｘ軸方向マイナス側の壁部に設けられる複数の突起部は、Ｘ軸方向プラス側の壁部に設けられる複数の突起部よりも突出していることが好ましい。これにより、当該スペーサに対して蓄電素子１００をＸ軸方向プラス側より（つまり計測部７４０より）に寄せた状態で配置できる。
【０１１３】
また、上記実施の形態では、計測部７４０は、蓄電素子１００の状態として温度を計測する温度センサであるが、温度センサに限らない。計測部は、例えば、蓄電素子１００の状態として、充放電状態を計測する電流センサであってもよいし、蓄電素子１００の電圧を計測する電圧センサであってもよい。なお、この場合には、計測部は、蓄電素子１００の正極端子１２０及び負極端子１３０に当接するように設けられることになる。
【０１１４】
また、上記実施の形態では、スペーサ２００の壁部２２３には、切り欠き状の開口部２２３ａが設けられているが、開口部の形状は切り欠き状に限らずに、開口の周囲が連続している開口部（つまり貫通孔）が設けられたスペーサが採用されてもよい。この場合、例えば、蓄電素子１００のＸ軸方向プラス側の側面は、隣接するスペーサによって分割されて覆われる構成ではなく、１つのスペーサによって覆われる構成が考えられる。このように、１つのスペーサによって蓄電素子１００のＸ軸方向プラス側の側面を覆う壁部を有するスペーサでは、開口部として貫通孔が採用されてもよい。
【０１１５】
また、上記実施の形態では、複数のスペーサ２００のうちの全てのスペーサ２００に、複数の突起部２４１が形成されているが、少なくとも、側面に計測部７４０が設けられる蓄電素子１００ａ、１００ｂに隣接するスペーサのみに複数の突起部２４１を形成する構成であってもよい。また、この場合、蓄電素子１００ａ、１００ｂに隣接するスペーサのうちの、蓄電素子１００ａ、１００ｂに隣接する側のみに複数の突起部２４１を形成する構成としたスペーサを採用してもよい。
【０１１６】
また、上記実施の形態では、スペーサ２００には、複数の突起部２４１が壁部２２４と板状部材２１０との間に跨がって形成されているが、これに限らずに、壁部２２４のみから突出するように形成されていてもよいし、板状部材２１０のみから突出するように形成されていてもよいし、壁部２２１及び壁部２２２の少なくとも一方から突出するように形成されていてもよい。
【０１１７】
また、上記実施の形態では、スペーサ２００は、各突出部２１１〜２１４、２３０が形成されているが、これらの各突出部２１１〜２１４、２３０が形成されていないスペーサが採用されていてもよい。
【０１１８】
また、上記実施の形態では、蓄電装置１は、複数の蓄電素子１００を備える構成であるが、１つの蓄電素子を備える構成の蓄電装置にも適用できる。
【０１１９】
また、本発明は、このような蓄電装置１として実現することができるだけでなく、蓄電装置１が備えるスペーサ２００としても実現することができる。
【０１２０】
また、上記実施の形態及びその変形例が備える各構成要素を任意に組み合わせて構築される形態も、本発明の範囲内に含まれる。
【産業上の利用可能性】
【０１２１】
本発明は、蓄電素子と当該蓄電素子の側方に配置されるスペーサとを備える蓄電装置として有用である。
【符号の説明】
【０１２２】
１  蓄電装置
１０  外装体
１１  第一外装体
１２  第二外装体
２１  正極外部端子
２２  負極外部端子
３０  蓄電ユニット
４０  電気機器
１００、１００ａ、１００ｂ  蓄電素子
１１０  容器
１２０  正極端子
１３０  負極端子
１４０  電極体
１５０  正極集電体
１６０  負極集電体
２００  スペーサ
２１０  板状部材
２１１  圧迫突出部
２１２  環状突出部
２１３  第一中空突出部
２１４  第二中空突出部
２２０、２２１、２２２、２２３、２２４  壁部
２２３ａ  開口部
２３０、２３１、２３２、２３３、２３４  十字突出部
２４１、２４２  突起部
３００、３１０、３２０  挟持部材
４００、４１０、４２０、４３０、４４０  拘束部材
５００  バスバーフレーム
６００  バスバー
７０１  電気機器容器
７１０  蓋部
７１１  係合部
７２０  容器本体
７２１  被係合部
７２２  開口部
７２３  付勢部
７３０  回路基板
７４０、７４１、７４２  計測部
７５０  正極バスバー
７５１  絶縁部材
７６０  リレー
【図１】
0006274053.tif 000002
【図２】
0006274053.tif 000003
【図３】
0006274053.tif 000004
【図４】
0006274053.tif 000005
【図５】
0006274053.tif 000006
【図６】
0006274053.tif 000007
【図７】
0006274053.tif 000008
【図８】
0006274053.tif 000009
【図９Ａ】
0006274053.tif 000010
【図９Ｂ】
0006274053.tif 000011
【図１０】
0006274053.tif 000012
【図１１】
0006274053.tif 000013